(57)【特許請求の範囲】
【請求項１】
光出力を行うとともに、光出力状態を示す第１信号を出力する光出力手段と、
前記光出力手段の光出力を許可する第２信号を該光出力手段に出力する光出力制御手段と、
前記光出力手段で出力された前記第１信号及び前記光出力制御手段で出力された前記第２信号を所定の時間監視し、該監視時間における両信号の状態に基づいて光出力異常を検出する異常検出手段と、
を有することを特徴とする光回線終端装置。
【請求項２】
前記異常検出手段は、前記光検出異常を検出した場合、前記光出力手段の光出力を停止させることを特徴とする請求項１に記載の光回線終端装置。
【請求項３】
前記異常検出手段は、前記監視時間の全てにおいて前記第２信号がＯＮ状態である場合、前記光出力制御手段の故障に起因した光出力異常を検出することを特徴とする請求項１又は２に記載の光回線終端装置。
【請求項４】
前記異常検出手段は、前記監視時間の全てにおいて前記第２信号がＯＮ状態でなく前記第１信号がＯＮ状態である場合、前記光出力手段の故障に起因した光出力異常を検出することを特徴とする請求項１から３のいずれか１項に記載の光回線終端装置。
【請求項５】
光出力異常を報知する報知手段を有し、
前記異常検出手段は、前記監視時間の全てにおいて前記第２信号がＯＮ状態である場合に、前記光出力制御手段の故障に起因した光出力異常を検出し、前記報知手段に前記光出力異常を報知させることを特徴とする請求項１から４のいずれか１項に記載の光回線終端装置。
【請求項６】
光出力異常を報知する報知手段を有し、
前記異常検出手段は、前記監視時間の全てにおいて前記第２信号がＯＮ状態でなく前記第１信号がＯＮ状態である場合に、前記光出力手段の故障に起因した光出力異常を検出し、前記報知手段に前記光出力異常を報知させることを特徴とする請求項１から５のいずれか１項に記載の光回線終端装置。
【請求項７】
光出力を行うとともに、光出力状態を示す第１信号を出力する光出力手段と、前記光出力手段の光出力を許可する第２信号を該光出力手段に出力する光出力制御手段と、を備える光回線終端装置に含まれ、
前記光出力手段で出力された前記第１信号及び前記光出力制御手段で出力された前記第２信号を所定の時間監視し、該監視時間における両信号の状態に基づいて光出力異常を検出することを特徴とする光出力異常検出回路。
【請求項８】
前記光検出異常を検出した場合、前記光出力手段の光出力を停止させることを特徴とする請求項７に記載の光出力異常検出回路。
【請求項９】
前記監視時間の全てにおいて前記第２信号がＯＮ状態である場合、前記光出力制御手段の故障に起因した光出力異常を検出することを特徴とする請求項７又は８に記載の光出力異常検出回路。
【請求項１０】
前記監視時間の全てにおいて前記第２信号がＯＮ状態でなく前記第１信号がＯＮ状態である場合、前記光出力手段の故障に起因した光出力異常を検出することを特徴とする請求項７から９のいずれか１項に記載の光出力異常検出回路。
【請求項１１】
前記監視時間の全てにおいて前記第２信号がＯＮ状態である場合に、前記光出力制御手段の故障に起因した光出力異常を検出し、前記光回線終端装置が備える報知手段に前記光出力異常を報知させることを特徴とする請求項７から１０のいずれか１項に記載の光出力異常検出回路。
【請求項１２】
前記監視時間の全てにおいて前記第２信号がＯＮ状態でなく前記第１信号がＯＮ状態である場合に、前記光出力手段の故障に起因した光出力異常を検出し、前記光回線終端装置が備える報知手段に前記光出力異常を報知させることを特徴とする請求項７から１１のいずれか１項に記載の光出力異常検出回路。
【請求項１３】
局側装置と、光回線終端装置と、前記局側装置と前記光回線終端装置を接続する光回線と、を含むＰＯＮシステムであって、
前記光回線終端装置は、
光出力を行うとともに、光出力状態を示す第１信号を出力する光出力手段と、
前記光出力手段の光出力を許可する第２信号を該光出力手段に出力する光出力制御手段と、
前記光出力手段で出力された前記第１信号及び前記光出力制御手段で出力された前記第２信号を所定の時間監視し、該監視時間における両信号の状態に基づいて光出力異常を検出する異常検出手段と、
を有することを特徴とするＰＯＮシステム。
【請求項１４】
前記光回線終端装置は、前記異常検出手段が、前記光検出異常を検出した場合、前記光出力手段の光出力を停止させることを特徴とする請求項１３に記載のＰＯＮシステム。
【請求項１５】
前記光回線終端装置は、前記異常検出手段が、前記監視時間の全てにおいて前記第２信号がＯＮ状態である場合、前記光出力制御手段の故障に起因した光出力異常を検出することを特徴とする請求項１３又は１４に記載のＰＯＮシステム。
【請求項１６】
前記光回線終端装置は、前記異常検出手段が、前記監視時間の全てにおいて前記第２信号がＯＮ状態でなく前記第１信号がＯＮ状態である場合、前記光出力手段の故障に起因した光出力異常を検出することを特徴とする請求項１３から１５のいずれか１項に記載のＰＯＮシステム。
【請求項１７】
前記光回線終端装置は、
光出力異常を報知する報知手段を有し、
前記異常検出手段が、前記監視時間の全てにおいて前記第２信号がＯＮ状態である場合に、前記光出力制御手段の故障に起因した光出力異常を検出し、前記報知手段に前記光出力異常を報知させることを特徴とする請求項１３から１６のいずれか１項に記載のＰＯＮシステム。
【請求項１８】
前記光回線終端装置は、
光出力異常を報知する報知手段を有し、
前記異常検出手段が、前記監視時間の全てにおいて前記第２信号がＯＮ状態でなく前記第１信号がＯＮ状態である場合に、前記光出力手段の故障に起因した光出力異常を検出し、前記報知手段に前記光出力異常を報知させることを特徴とする請求項１３から１７のいずれか１項に記載のＰＯＮシステム。
【請求項１９】
光出力を行うとともに、光出力状態を示す第１信号を出力する光出力手段と、前記光出力手段の光出力を許可する第２信号を該光出力手段に出力する光出力制御手段と、を備える光回線終端装置に用いられ、
前記光出力手段で出力された前記第１信号及び前記光出力制御手段で出力された前記第２信号を所定の時間監視し、該監視時間における両信号の状態に基づいて、前記光出力手段又は前記光出力制御手段の故障に起因した光出力異常を検出することを特徴とする光出力異常検出方法。
【請求項２０】
光出力を行うとともに、光出力状態を示す第１信号を出力する光出力手段と、前記光出力手段の光出力を許可する第２信号を該光出力手段に出力する光出力制御手段と、を備える光回線終端装置のコンピュータに、
前記光出力手段で出力された前記第１信号及び前記光出力制御手段で出力された前記第２信号を所定の時間監視させ、該監視時間における両信号の状態に基づいて、前記光出力手段又は前記光出力制御手段の故障に起因した光出力異常を検出させることを特徴とするプログラム。
【請求項２１】
請求項２０に記載のプログラムを記録しコンピュータ読み取り可能なことを特徴とする記録媒体。
【発明の詳細な説明】
【技術分野】
【０００１】
本発明は、光回線終端装置、光出力異常検出回路、ＰＯＮシステム、光出力異常検出方法、プログラム及び記録媒体に関し、特に、例えば時分割多重接続制御により光通信を行うシステムにおいて終端装置の常時発光の検出に好ましく適用される技術に関するものである。
【背景技術】
【０００２】
一般に、ＰＯＮ（Passive Optical Network）システムでは、ＯＮＵ（Optical Network Unit：終端装置）からＯＬＴ（Optical Line Terminal：局側装置）への上り方向信号通信はＴＤＭＡ（Time Division Multiple Access）制御（決められた任意の時間しか光出力しない）を行っている。このため、ＯＮＵの故障でＯＮＵ光出力が常時発光した場合、ＯＬＴ配下の全ＯＮＵの上り方向信号が潰されてしまい、故障のない他のＯＮＵの通信に影響を及ぼすという問題がフィールドで発生する。
【０００３】
この問題に対して、従来は保守者が手作業で本障害の切り分け（異常要因も含めた障害の把握）とその是正処置を行っており、ＯＰＥＸ／ＣＡＰＥＸの削減化が課題であった。そして、本故障をＯＮＵの自己診断による検出手段と、検出時の（自動化による）是正手段に有効なものがなく、その実現化が課題であった。
【０００４】
例えば特許文献１では、光送信器内部の故障により本来光信号が出力されない期間に光信号が出力された場合に、該異常発光を自動的に検出して発光出力を停止させる常時発光防止回路が開示されている。当該回路では、フォトダイオードで検出した発光検出信号が一方の端子に入力され、他方の端子には、レーザダイオードへの駆動信号と等価な信号が入力され、一致判定回路が、２つの信号が一致している場合にレーザダイオードが発光するように制御し、一致しない場合にレーザダイオードが発光しないように制御している。
【先行技術文献】
【特許文献】
【０００５】
【特許文献１】特開２００６−１９７４４７号公報
【発明の概要】
【発明が解決しようとする課題】
【０００６】
特許文献１による技術では、常時発光という異常の発見と異常状態の一時的な停止は行えるが、異常の要因を把握することができず、故障箇所の除去等の是正措置を適切にとることは困難である。すなわち、光モジュールの異常動作による常時発光の防止しか実施しておらず、ＰＯＮ  ＭＡＣの異常動作による常時発光の防止を行っているわけではない。また、特許文献１の発明は、バイアス制御信号でレーザダイオードのＯＮ／ＯＦＦを行っており、ここが故障すると常時発光を検出することができない。つまり、光出力異常の検出を安定的に行うことができない可能性が高い。
【０００７】
そこで、本発明は、光回線を介して通信を行う際に、故障要因ごとに光出力異常を検出し、オペレータを介さずにかつ安定的に該異常に対する是正措置を実施できるようにすることを目的とする。
【課題を解決するための手段】
【０００８】
本発明の光回線終端装置は、光出力を行うとともに、光出力状態を示す第１信号を出力する光出力手段と、光出力手段の光出力を許可する第２信号を該光出力手段に出力する光出力制御手段と、光出力手段で出力された第１信号及び光出力制御手段で出力された第２信号を所定の時間監視し、該監視時間における両信号の状態に基づいて光出力異常を検出する異常検出手段と、を有する。
【０００９】
本発明の光出力異常検出回路は、光出力を行うとともに、光出力状態を示す第１信号を出力する光出力手段と、光出力手段の光出力を許可する第２信号を該光出力手段に出力する光出力制御手段と、を備える光回線終端装置に含まれ、光出力手段で出力された第１信号及び光出力制御手段で出力された第２信号を所定の時間監視し、該監視時間における両信号の状態に基づいて光出力異常を検出する。
【００１０】
本発明のＰＯＮシステムは、局側装置と、光回線終端装置と、局側装置と光回線終端装置を接続する光回線と、を含むＰＯＮシステムであって、光回線終端装置は、光出力を行うとともに、光出力状態を示す第１信号を出力する光出力手段と、光出力手段の光出力を許可する第２信号を該光出力手段に出力する光出力制御手段と、光出力手段で出力された第１信号及び光出力制御手段で出力された第２信号を所定の時間監視し、該監視時間における両信号の状態に基づいて光出力異常を検出する異常検出手段と、を有する。
【００１１】
本発明の光出力異常検出方法は、光出力を行うとともに、光出力状態を示す第１信号を出力する光出力手段と、光出力手段の光出力を許可する第２信号を該光出力手段に出力する光出力制御手段と、を備える光回線終端装置に用いられ、光出力手段で出力された第１信号及び光出力制御手段で出力された第２信号を所定の時間監視し、該監視時間における両信号の状態に基づいて、光出力手段又は光出力制御手段の故障に起因した光出力異常を検出する。
【００１２】
本発明のプログラムは、光出力を行うとともに、光出力状態を示す第１信号を出力する光出力手段と、光出力手段の光出力を許可する第２信号を該光出力手段に出力する光出力制御手段と、を備える光回線終端装置のコンピュータに、光出力手段で出力された第１信号及び光出力制御手段で出力された第２信号を所定の時間監視させ、該監視時間における両信号の状態に基づいて、光出力手段又は光出力制御手段の故障に起因した光出力異常を検出させる。
【００１３】
本発明の記録媒体は、上記のプログラムを記録したコンピュータ読み取り可能な記録媒体である。
【発明の効果】
【００１４】
本発明によれば、光回線を介して通信を行う際に、故障要因ごとに光出力異常を検出し、オペレータを介さずにかつ安定的に該異常に対する是正措置を実施することが可能となる。
【図面の簡単な説明】
【００１５】
【図１】本発明に係る光回線終端装置の構成を示した図である。
【図２】本発明の実施形態に係るＯＮＵの概略構成を示した図である。
【図３】本発明の実施形態における光出力異常の検出（ＰＯＮ  ＭＡＣ故障の場合）を説明するためのタイミングチャートである。
【図４】本発明の実施形態における光出力異常の検出（光モジュール故障の場合）を説明するためのタイミングチャートである。
【図５】本発明の実施形態に係るＯＮＵの概略構成を示した図である。
【図６】本発明の実施形態に係るＯＮＵの概略構成を示した図である。
【発明を実施するための形態】
【００１６】
光回線終端装置における光出力異常（常時発光）の要因は以下の２つに大別することができる。１つは、ＰＯＮ  ＭＡＣの故障に起因した常時発光で、ＰＯＮ  ＭＡＣから光モジュールへ光出力を許可するＥｎａｂｌｅ信号の制御誤りである。もう１つは、光モジュールの故障に起因した常時発光で、光モジュールよる光出力制御誤りである。本発明では、図１に示すように、異常検出手段４０が、光出力制御手段２０から光出力手段３０へ出力される光出力許可を示す第１信号と光出力手段３０から出力される光出力状態を示す第２信号を所定の時間監視する。そして、異常検出手段４０は、該監視時間における両信号の状態に基づいて、いずれの要因による光出力異常かを検出し、該光出力異常を検出した場合に光出力手段に光出力を停止させる。このように、光回線終端装置に、上記２つの故障要因を自己診断により検出する異常検出手段を設け、故障検出時には光出力手段による光出力を自動停止する是正処置を行う。
【００１７】
以下、本発明の実施形態について図面を参照して説明する。
【００１８】
［第１実施形態］
本発明の第１実施形態は、光回線終端装置（ＯＮＵ）において、ＰＯＮ  ＭＡＣから出力される光信号Ｅｎａｂｌｅ信号と光モジュールから出力される光出力状態信号を所定時間だけ監視し、その監視結果をもとに光出力異常の診断を行い、光出力異常が検出された場合に光出力を停止させるものである。
【００１９】
はじめに、本実施形態のＯＮＵの構成について説明する。図２は、本実施形態に係るＯＮＵの概略構成を示した図である。本実施形態のＯＮＵ１００は、ＰＯＮ  ＭＡＣ１０１、ＳｅｒＤｅｓ１０２、光モジュール電源供給部１０４、故障検出部１０５、光モジュール１０８を備える。
【００２０】
ＰＯＮ  ＭＡＣ１０１は、光モジュール１０８へ光出力を許可する光出力Ｅｎａｂｌｅ信号１２１を出力する。光モジュール１０８は、光モジュール電源供給部１０４からの電源１２４を受けて光出力を行う光モジュール送信部１０３を有する。また、光モジュール１０８は、光出力状態を示す光出力状態信号１２２を出力する。
【００２１】
故障検出部１０５は、ＰＯＮ  ＭＡＣ１０１の出力する光出力Ｅｎａｂｌｅ信号１２１と光モジュール１０８の出力する光出力状態信号１２２を一定時間モニタし、両信号の状態を診断する。詳細は後述するが、本実施形態では、信号状態から異常要因を区別して光出力異常を検出することが可能である。モニタによる診断で光出力異常が検出された場合、故障検出部１０５は、光モジュール電源供給部１０４に対して電源供給Ｄｉｓａｂｌｅ信号１２３を出力する。光モジュール電源供給部１０４は、故障検出部１０５から電源供給Ｄｉｓａｂｌｅ信号１２３を受信した場合、光モジュール１０８への電源供給を停止する。
【００２２】
また、故障検出部１０５は、モニタによる診断で光出力異常を検出した場合、光出力異常表示ランプ１０７に対して光出力異常ランプ点灯制御信号１２６を出力する。同様に、ＰＯＮ  ＭＡＣ１０１の故障による光出力異常を検出した場合に、ＰＯＮ  ＭＡＣ故障表示アラームランプ１０６に対してＰＯＮ  ＭＡＣ故障用ランプ点灯制御信号１２５を出力する。ここでは、ＰＯＮ  ＭＡＣの故障時にＰＯＮ  ＭＡＣ故障表示アラームランプ１０６及びアラームランプ１０７を点灯させ、光モジュール故障時にアラームアンプ１０７のみ点灯させているが、前者の場合にＰＯＮ  ＭＡＣ故障表示アラームランプ１０６のみ点灯させるように構成することもできる。
【００２３】
なお、各信号の監視及び監視結果に基づく光異常検出を行う故障検出部１０５は、回路等を用いてハード的に構成することのほか、本発明特有の動作を記述したプログラムをＣＰＵが読み込むことにより主記憶上に異常検出手段（図１）を構築することで実現することも可能である。
【００２４】
このようにして、本実施形態では、故障検出部１０５において光出力異常を検出し、異常時には光モジュール１０８への電源供給を停止しているので、保守者／オペレータを介在せず、ＯＮＵの自己診断により是正処置を施すことが可能である。
【００２５】
次に、本実施形態における光出力異常の検出について説明する。図３は、本実施形態におけるＰＯＮ  ＭＡＣ故障時の各信号の状態を示したタイミングチャートで、図４は、本実施形態における光モジュール故障時の各信号の状態を示したタイミングチャートである。
【００２６】
はじめに図３を参照して述べる。故障検出部１０５では、光出力Ｅｎａｂｌｅ信号１２１と光出力状態信号１２２について、Ｔｓｅｃの範囲で監視を行っている。図では、Ｔ１からＴ２の範囲で光出力Ｅｎａｂｌｅ信号１２１の状態が常時有効となっている。Ｔ１からＴ２の範囲で常時有効となっている光出力Ｅｎａｂｌｅ信号を受けて、光モジュール送信部１０３で出力される光出力状態信号１２２の出力が常時出力となっている。つまり、この監視区間で常時出力（光出力異常）が発生しており、その異常は光出力Ｅｎａｂｌｅ信号１２１の制御誤り（ＰＯＮ  ＭＡＣ１０１の故障）に起因したものであることを示している。
【００２７】
Ｔ１からＴ２の監視時間における診断結果２１０は、Ｔ２のタイミングで異常を出力する。この診断結果２１０の出力タイミングに合せて、出力されている電源供給Ｄｉｓａｂｌｅ信号１２３は、Ｅｎａｂｌｅ状態からＤｉｓａｂｌｅ状態に変更する。そして、電源供給Ｄｉｓａｂｌｅ信号１２３がＤｉｓａｂｌｅ状態となったことに対応して、光モジュール電源１２４は、光モジュール１０８への電源供給を停止する。そして、光モジュール電源１２４の電源供給の停止により、光モジュール出力（光出力）１２８は停止となる。
【００２８】
また、診断結果２１０の出力タイミングに合せて、ＰＯＮ  ＭＡＣ故障用ランプ点灯制御信号１２５及び光出力異常ランプ点灯制御信号１２６について点灯ＯＮの出力がなされる。これらのランプ点灯制御信号の出力により、ＰＯＮ  ＭＡＣ故障表示ランプ１０６と光出力異常表示ランプ１０７が点灯する。
【００２９】
続いて図４を参照して述べる。故障検出部１０５では、光出力Ｅｎａｂｌｅ信号１２１と光出力状態信号１２２について、Ｔｓｅｃの範囲で監視を行っている。図では、Ｔ１からＴ２の範囲で光出力状態信号１２２の状態が常時出力となっており、この監視区間で常時出力（光出力異常）が発生していることを示している。そして、Ｔ１からＴ２の範囲において、光出力Ｅｎａｂｌｅ信号１２１は所定のタイミングで（ｔ  ｓｅｃごとに）有効となっており正常に出力されていることから、ここでの光出力異常は光出力制御誤り（光モジュール１０８の故障）に起因したものであることがわかる。
【００３０】
Ｔ１からＴ２の監視時間における診断結果２１０は、Ｔ２のタイミングで異常を出力する。この診断結果２１０の出力タイミングに合せて、出力されている電源供給Ｄｉｓａｂｌｅ信号１２３は、Ｅｎａｂｌｅ状態からＤｉｓａｂｌｅ状態に変更する。そして、電源供給Ｄｉｓａｂｌｅ信号１２３がＤｉｓａｂｌｅ状態となったことに対応して、光モジュール電源１２４は、光モジュール１０８への電源供給を停止する。そして、光モジュール電源１２４の電源供給の停止により、光モジュール出力（光出力）１２８は停止となる。
【００３１】
また、診断結果２１０の出力タイミングに合せて、光出力異常ランプ点灯制御信号１２６について点灯ＯＮの出力がなされる。こランプ点灯制御信号の出力により、光出力異常表示ランプ１０７が点灯する。なお、ここでの光出力異常は光モジュール１０８の故障によるものであるため、ＰＯＮ  ＭＡＣ故障表示ランプ１０６を点灯させる必要はなく、ＰＯＮ  ＭＡＣ故障用ランプ点灯制御信号１２５は点灯ＯＦＦ（消灯）の状態が維持される。
【００３２】
本実施形態によれば、監視時間の全期間にわたる光出力状態のみならず、同期間にわたる光出力Ｅｎａｂｌｅ信号をモニタし、これらの信号の状態に基づいて光出力異常の検出を行うため、異常要因に切り分けて（光モジュール故障によるものか、ＰＯＮ  ＭＡＣ故障によるものか）光出力異常を把握することが可能である。また、光出力異常を検出した場合に、直ちに光出力を停止させるため、光モジュールの異常動作による常時発光だけでなく、ＰＯＮ  ＭＡＣの異常動作による常時発光を防止することが可能となる。
【００３３】
［第２実施形態］
第１実施形態は、ＰＯＮ  ＭＡＣからの光出力Ｅｎａｂｌｅ信号と光モジュールからの光出力状態信号を所定時間だけ監視し、その監視結果をもとに光出力異常の診断を行うものであった。本発明の第２実施形態では、光出力状態信号のみに基づいて光出力異常を検出するように構成する。
【００３４】
図５は、本実施形態に係るＯＮＵの概略構成を示した図である。第１実施形態と相違する点についてのみ説明する。本実施形態のＯＮＵ１００は、故障の報知手段として、光出力異常表示ランプ１０７のみを備える。他の構成は、第１実施形態のＯＮＵと同様である。故障検出部１０５は、光モジュール１０８の出力する光出力状態信号１２２のみを一定時間モニタし、該信号の状態を診断する。モニタによる診断で光出力異常が検出された場合、故障検出部１０５は、光モジュール電源供給部１０４へ電源供給Ｄｉｓａｂｌｅ信号１２３を出力する。また、故障検出部１０５は、光出力異常表示ランプ１０７に対してランプ点灯制御信号１２６を出力する。故障検出部１０５から出力された各信号に応じて、光モジュール電源供給部１０４は光モジュール１０８への電源供給を停止し、光出力異常表示ランプ１０７は点灯する。
【００３５】
本実施形態によれば、ＰＯＮ  ＭＡＣ故障による光出力異常も包含して、光出力状態信号のみで検出することが可能である。
【００３６】
［第３実施形態］
本発明の第３実施形態として、上り信号（ＯＮＵ→ＯＬＴ方向）の伝送を複数の光波長でＷＤＭ伝送している場合に、異常検出を波長帯ごとに実施して該当する異常波長帯の光出力のみ停止するようにする構成が考えられる。
【００３７】
図６は、本実施形態に係るＯＮＵの概略構成を示した図である。本実施形態のＯＮＵ４００は、ＰＯＮ  ＭＡＣ４０１、ＳｅｒＤｅｓ４０２及び４０３、光モジュール４０７、λ１送信部電源供給部４０８、λ２送信部電源供給部４０９、故障検出部４１０、λ１光出力異常表示ランプ４１１、λ２光出力異常表示ランプ４１２を備える。光モジュール４０７は、光モジュールλ１送信部４０４、光モジュールλ２送信部４０５、ＷＤＭ４０６を有する。
【００３８】
光モジュールλ１送信部４０４及び光モジュールλ２送信部４０５は、λ１上り方向主信号４２１、λ２上り方向主信号４２２をそれぞれ出力し、各信号はＷＤＭ４０６によりＷＤＭ伝送される。また、両送信部は光出力状態信号（λ１光出力状態信号４２４、λ２光出力状態信号４２５）を出力する。
【００３９】
故障検出部４０５は、光モジュール４０７（各送信部）で出力された光出力状態信号を一定時間モニタし信号の状態を診断する。モニタによる診断で光出力異常が検出された場合、故障検出部４０５は、異常にかかる送信部への電源供給を行っている電源供給部に対して、電源供給Ｄｉｓａｂｌｅ信号を出力する。電源供給部は、故障検出部４０５から電源供給Ｄｉｓａｂｌｅ信号を受信した場合、光モジュール４０７（送信部）への電源供給を停止する。
【００４０】
また、故障検出部４０５は、モニタによる診断で光出力異常を検出した場合、異常にかかる送信部の光出力異常を報知する光出力異常表示ランプに対して、光出力異常ランプ点灯制御信号を出力する。
【００４１】
例えば、波長λ１と波長λ２でＷＤＭ伝送している場合、波長ごとの光出力状態信号をモニタして光出力状態を診断し、波長λ１で異常が検出された際に、故障検出部４１０は、λ１送信部電源供給部４０８にλ１電源供給Ｄｉｓａｂｌｅ信号４２８を出力してλ１用電源４２６を切断し、λ１の光出力４２１のみ停止させる。そして、正常な波長λ２によるλ２上り方向主信号４２２の通信サービスを継続する。
【００４２】
ここでは、光出力状態信号のみをモニタし、モニタ結果に基づいて光出力異常を検出しているが、第１実施形態のように、光出力状態信号と光出力Ｅｎａｂｌｅ信号を所定時間だけ監視し、監視結果に基づいて異常要因を切り出して光出力異常を検出し、該光出力異常を解消すべく光出力を停止させるように構成することもできる。
【００４３】
本実施形態によれば、波長帯毎に異常検出を行うため、異常ＯＮＵの通信サービスのみを一時的に停止させ、正常ＯＮＵの通信サービスは極力継続させることが可能である。
【００４４】
なお、上述する実施形態は、本発明の好適な実施形態であり、上記実施形態のみに本発明の範囲を限定するものではなく、本発明の要旨を逸脱しない範囲において種々の変更を施した形態での実施が可能である。例えば、本発明は、Ａ−ＰＯＮ、Ｂ−ＰＯＮ、Ｅ−ＰＯＮ、Ｇ−ＰＯＮ、ＧＥ−ＰＯＮ、１０Ｇ−ＥＰＯＮ、ＸＧ−ＰＯＮといったＰＯＮシステム全般に適用することができる。
【００４５】
また、本実施形態のＯＮＵにおける故障検出部は、先に述べたようにソフト的に構成することもでき、この場合、本発明特有の動作を記述したプログラムを、コンピュータ（ＣＰＵ）が所定の記録媒体から読み出して実行することにより、異常検出手段が主記憶装置上にロードされて生成される。すなわち、本発明を構成する異常検出手段は、実際のハードウエアを用いて具体的手段として実現される。
【００４６】
本実施形態におけるＯＮＵで実行されるプログラムは、インターネット等のネットワークに接続されたコンピュータ上に格納され、ネットワーク経由でダウンロードさせることにより提供されるように構成してもよい。また、上記プログラムをインターネット等のネットワーク経由で提供あるいは配布するように構成してもよい。
【００４７】
また、上記プログラムは、インストール可能な形式又は実行可能な形式のファイルで、フロッピー（登録商標）ディスク、ハードディスク、光ディスク、光磁気ディスク、ＣＤ−ＲＯＭ、ＣＤ−Ｒ、ＤＶＤ、不揮発性のメモリカード等のコンピュータで読み取り可能な記録媒体に記録されて提供されるように構成してもよい。また、上記プログラムは、ＲＯＭ等にあらかじめ組み込んで提供するように構成してもよい。
【００４８】
この場合、上記記録媒体から読み出された又は通信回線を通じてロードし実行されたプログラムコード自体が前述の実施形態の機能を実現することになる。そして、そのプログラムコードを記録した記録媒体は本発明を構成する。
【符号の説明】
【００４９】
１０    光回線終端装置
２０    光出力制御手段
２１    第１信号
３０    光出力手段
３１，１２８    光出力
３２    第２信号
４０    異常検出手段
１００    ＯＮＵ
１０１    ＰＯＮ  ＭＡＣ
１０２    ＳｅｒＤｅｓ
１０３    光モジュール送信部
１０４    光モジュール電源供給部
１０５    故障検出部
１０６    ＰＯＮ  ＭＡＣ故障表示ランプ
１０７    光出力異常表示ランプ
１０８    光モジュール
１２１    光出力Ｅｎａｂｌｅ信号
１２２    光出力状態信号
１２３    電源供給Ｄｉｓａｂｌｅ信号
１２４    電源
１２５    ＰＯＮ  ＭＡＣ故障用ランプ点灯制御信号
１２６    光出力以上ランプ点灯制御信号
１２７    上り方向主信号
２１０    診断結果
【図１】
0005487772.tif 000002
【図２】
0005487772.tif 000003
【図３】
0005487772.tif 000004
【図４】
0005487772.tif 000005
【図５】
0005487772.tif 000006
【図６】
0005487772.tif 000007